(57)【特許請求の範囲】
【請求項１】
一連の繰返し単位を備える製紙用フォーミング織物であって、
前記繰返し単位の各々は、
一組のトップ側マシン方向（ＭＤ）ヤーンと、
一組のトップ側マシン横断方向（ＣＭＤ）ヤーンであって、前記トップ側ＭＤヤーンに織り込まれ、トップ側織物層を形成している、一組のトップ側ＣＭＤヤーンと、
一組のボトム側ＭＤヤーンと、
一組のボトム側ＣＭＤヤーンであって、前記ボトム側ＭＤヤーンに織り込まれ、ボトム側織物層を形成している、一組のボトム側ＣＭＤヤーンと、
前記トップ側およびボトム側織物層に織り込まれた一組の接結ヤーンと、
を備えるものにおいて、
前記ボトム側ＭＤヤーンおよび前記ボトム側ＣＭＤヤーンは、前記ボトム側ＭＤヤーンの下を通る前記ボトム側ＣＭＤヤーンによって形成された浮糸が少なくとも１．８ｍｍの長さを有するように、互いに織り合されており、
１本の単位長ＣＭＤヤーンによるＭＤヤーン被覆面積が、ＭＤヤーン直径と単位ＣＭＤ長当たりのＭＤヤーン本数の積として定義される場合に、ボトム側ＭＤヤーン被覆面積に対するトップ側ＭＤヤーン被覆面積の第１の比率は、０．５よりも小さくなっており、
ボトム側ＭＤヤーンの断面積に対するボトム側ＣＭＤヤーンの断面積の第２の比率は、２．０よりも大きくなっている、
ことを特徴とする製紙用フォーミング織物。
【請求項２】
前記トップ側ＭＤヤーン、前記トップ側ＣＭＤヤーン、および前記接結ヤーンは、前記織物の上面に平織地を形成するように、織り合わされている、ことを特徴とする請求項１に記載の製紙用フォーミング織物。
【請求項３】
前記接結ヤーンは、ＣＭＤ接結ヤーンである、ことを特徴とする請求項１に記載の製紙用フォーミング織物。
【請求項４】
前記ボトム側ＣＭＤヤーンによって形成された前記浮糸は、約１．８ｍｍから３．５ｍｍの間にある、ことを特徴とする請求項１に記載の製紙用フォーミング織物。
【請求項５】
前記第１の比率は、約０．３から０．５の間にある、ことを特徴とする請求項１に記載の製紙用フォーミング織物。
【請求項６】
前記第２の比率は、約２．０から１５．０の間にある、ことを特徴とする請求項１に記載の製紙用フォーミング織物。
【請求項７】
前記ボトム側ＭＤヤーンの直径は、約０．１３ｍから０．３ｍｍの間にある、ことを特徴とする請求項１に記載の製紙用フォーミング織物。
【請求項８】
一連の繰返し単位を備える製紙用フォーミング織物であって、
前記繰返し単位の各々は、
一組のトップ側マシン方向（ＭＤ）ヤーンと、
一組のトップ側マシン横断方向（ＣＭＤ）ヤーンであって、前記トップ側ＭＤヤーンに織り込まれ、トップ側織物層を形成している、一組のトップ側ＣＭＤヤーンと、
一組のボトム側ＭＤヤーンと、
一組のボトム側ＣＭＤヤーンであって、前記ボトム側ＭＤヤーンに織り込まれ、ボトム側織物層を形成している、一組のボトム側ＣＭＤヤーンと、
前記トップ側およびボトム側織物層に織り込まれた一組の接結ヤーンと、
を備えるものにおいて、
前記ボトム側ＭＤヤーンおよび前記ボトム側ＣＭＤは、前記ボトム側ＭＤヤーンの下を通る前記ボトム側ＣＭＤヤーンによって形成された浮糸が約１．８ｍｍから３.０ｍｍの間の長さを有するように、互いに織り合されており、
１本の単位長ＣＭＤヤーンによるＭＤヤーン被覆面積が、ＭＤヤーン直径と単位ＣＭＤ長当たりのＭＤヤーン本数の積として定義される場合に、ボトム側ヤーン被覆面積に対するトップ側ＭＤヤーン被覆面積の第１の比率は、約０．３から０．５の間にあり、
ボトム側ＭＤヤーンの断面積に対するボトム側ＣＭＤヤーンの断面積の第２の比率は、約２．０から１５．０の間にある、
ことを特徴とする製紙用フォーミング織物。
【請求項９】
前記トップ側ＭＤヤーン、前記トップ側ＣＭＤヤーン、および前記接結ヤーンは、前記織物の上面に平織地を形成するように、織り合されている、ことを特徴とする請求項８に記載の製紙用フォーミング織物。
【請求項１０】
前記接結ヤーンは、ＣＭＤ接結ヤーンである、ことを特徴とする請求項８に記載の製紙用フォーミング織物。
【請求項１１】
前記ボトム側ＭＤヤーンの直径は、約０．１３ｍｍからｍｍ０．３ｍｍの間にある、ことを特徴とする請求項８に記載の製紙用フォーミング織物。 
【発明の詳細な説明】
【技術分野】
【０００１】
［関連出願］
本願は、２０１０年１２月１３日に出願された米国仮特許出願第６１／４２２，４４３号の優先権および利得を主張するものであり、その開示内容は、その全体がここに含まれるものとする。
【０００２】
［発明の分野］
本願は、一般的には、製紙に関し、さらに詳細には、製紙に用いられる織物に関する。
【背景技術】
【０００３】
従来の長網式製紙法では、（紙原料（paper stock）」として知られる）セルロース繊維の水スラリーまたは懸濁液は、２つ以上のロール間を走行する金網および／または合成材料からなるエンドレスベルトの上側走行部上に送給されるようになっている。「フォーミング織物（forming fabric）」とも呼ばれることが多いこのベルトは、その上側走行部の上面に製紙面をもたらす。製紙面は、フィルターとして機能し、紙原料のセルロース繊維を水性媒体から分離し、これによって、湿った紙ウエブを形成することになる。水性媒体は、重量によって、または織物の上側走行部の下面（すなわち、「マシン側」）に配置された減圧部によって、排出孔として知られるフォーミング織物のメッシュ開口を通って排出されることになる。
【０００４】
フォーミング部を出た後、紙ウエブは、抄紙機のプレス部に移送され、該プレス部において、一般的に「プレスフェルト（press felt）」と呼ばれる他の織物によって被覆された１対以上の加圧ローラのニップに通される。ローラによる圧力によって、ウエブからさらに水分が除去されることになるが、この水分除去は、プレスフェルトの「詰め綿（batt）」層の存在によって、高められるようになっている。次いで、紙は、さらなる水分除去のために、乾燥部に移送される。乾燥の後、紙は、二次加工および包装に供される準備が整えられることになる。
【０００５】
本明細書に用いられるマシン方向「ＭＤ」およびマシン横断方向「ＣＭＤ」という用語は、それぞれ、製紙機における製紙機用織物の走行方向と一致する方向、および織物表面と平行でかつ走行方向を横断する方向を指している。同様に、織物内におけるヤーンの垂直方向に関連する方向基準（例えば、上、下、トップ側、ボトム側、直下、など）は、織物の製紙面が織物の上にあり、織物のマシン側面が織物の底にあることを前提にしている。
【０００６】
典型的には、製紙機用織物は、２つの基本的な製織技術の１つによって、エンドレスベルトとして製造されている。これらの内の第１の技術では、織物は、平織法によって平織されており、それらの両端が、多数の周知の接合方法のいずれか１つによって、互いに接合され、エンドレスベルトを形成するようになっている。接合方法として、例えば、両端を解し、再び一緒に織り込む（継合せとして一般的に知られる）方法、または各端にピン縫合可能なフラップまたは特殊な折り返しを縫付け、次いで、これらをピン縫合可能なループ内に再び織り込む方法が挙げられる。今日、多くの自動接合機が市販されているが、これらは、一部の織物に対して、接合プロセスの少なくとも一部を自動化するために用いられている。平織された製紙機用織物では、経糸がマシン方向に延びており、緯糸がマシン横断方向に延びている。
【０００７】
第２の基本的な製織技術では、織物は、無端製織法によって、連続ベルトの形態に直接織られるようになっている。無端製織法では、経糸がマシン横断方向に延びており、緯糸がマシン方向に延びている。前述した製織方法は、いずれも、当技術分野において周知であり、本明細書において用いられる「エンドレスベルト」という用語は、いずれの方法によって作製されたベルトも指すものとする。
【０００８】
製紙において、特に、湿ったウエブが最初に形成されることになる製紙機のフォーミング部における製紙工程において、シートおよび繊維の効果的な支持は、重要な検討事項である。加えて、フォーミング織物は、製紙機上を高速度で走行するとき、良好な安定性を有しているべきであり、好ましくは、抄紙機のプレス部に移送されるときにウエブに残っている水分量を低減させるために、高浸透性を有しているとよい。ティッシュペーパおよび上質紙（すなわち、上質印刷紙、カーボン原紙、タバコ、蓄電池などに用いられる紙）の用途では、製紙面は、極めて繊細に織られたメッシュ構造または極めて繊細な金網構造を備えている。
【０００９】
典型的には、上質紙またはティッシュペーパの用途に用いられるような繊細に織られた織物は、少なくとも何本かの比較的小径のマシン方向ヤーンまたはマシン横断方向ヤーンを含んでいる。しかし、残念ながら、このようなヤーンは、傷みやすいので、織物の表面寿命が短くなる。さらに、小径ヤーンの使用は、織物の（特に、歪抵抗、狭幅傾向、および剛性に関する）機械的安定性を悪化させ、その結果、織物の寿命および性能のいずれにも悪影響を及ぼす可能性がある。
【００１０】
繊細に織られた織物に関連するこれらの問題に対処するため、多層フォーミング織物が開発されてきている。この織物は、紙形成を容易にするために、紙形成面に繊細なメッシュのヤーンを有しており、強度および耐久性をもたらすために、マシン接触側に粗いメッシュのヤーンを有している。例えば、繊細な紙形成面およびより耐久性のあるマシン側面を有する織物を形成するために、２組のマシン横断方向ヤーンに織り込まれた一組のマシン方向ヤーンを用いる織物が作られてきている。これらの織物は、一般的に「二層」織物と呼ばれる織物の分類の一部をなすものである。同様に、繊細なメッシュ状紙側織物層および別の粗いマシン側織物層を形成する、２組のマシン方向ヤーンおよび２組のマシン横断方向ヤーンを備える織物が作られてきている。一般的に「三層」織物と呼ばれる織物の分類の一部をなすこれらの織物では、２つの織物層は、典型的には、別の接結ヤーンによって、互いに接結されている。しかし、これらの織物層は、一組または複数組のボトム側およびトップ側マシン横断方向ヤーンおよびマシン方向ヤーンからのヤーンを用いて、一緒に接結されてもよい。二層織物および三層織物は、単層織物と比較して追加的な組のヤーンを含んでいるので、これらの織物は、通常、対応する単一層織物よりも大きい「キャリパ―（caliper）」（すなわち、大きい厚み）を有している。例示的な二層織物は、Thompsonに付与された特許文献１に示されており、例示的な三層織物は、Osterbergに付与された特許文献２、Vohringerに付与された特許文献３、Wardに付与された特許文献４，５、およびTroughtonに付与された特許文献６に示されている。
【００１１】
フォーミング織物からの効率的な排水は、製紙における１つの課題である。効率的な排水に対する１つの解決策は、本出願人に譲渡されているBaumannに付与された特許文献７において提案されている。この開示内容は、参照することによって、ここに含まれるものとする。Baumannは、効率的な排水をもたらすために、織物の隙間によって形成された改変通路を用いることを記載している。この概念をさらに発展させるさらなる織物を提供することが望ましい。
【先行技術文献】
【特許文献】
【００１２】
【特許文献１】米国特許第４，４２３，７５５号明細書
【特許文献２】米国特許第４，５０１，３０３号明細書
【特許文献３】米国特許第５，１５２，３２６号明細書
【特許文献４】米国特許第５，４３７，３１５号明細書
【特許文献５】米国特許第５，９６７，１９５号明細書
【特許文献６】米国特許第６，７４５，７９７号明細書
【特許文献７】米国特許出願公開第２０１１／０１００５７７号明細書
【発明の概要】
【００１３】
第１の態様として、本発明の実施形態は、一連の繰返し単位（repeat units、完全組織）を備える製紙用フォーミング織物に関する。繰返し単位の各々は、一組のトップ側マシン方向（ＭＤ）ヤーンと、一組のトップ側マシン横断方向（ＣＭＤ）ヤーンであって、トップ側ＭＤヤーンに織り込まれ、トップ側織物層を形成している、一組のトップ側ＣＭＤヤーンと、一組のボトム側ＭＤヤーンと、一組のボトム側ＣＭＤヤーンであって、ボトム側ＭＤヤーンに織り込まれ、ボトム側織物層を形成している、一組のボトム側ＣＭＤヤーンと、トップ側およびボトム側織物層に織り込まれた一組の接結ヤーンと、を備えている。ボトム側ＭＤヤーンおよびボトム側ＣＭＤは、ボトム側ＭＤヤーンの下を通るボトム側ＣＭＤヤーンによって形成された浮糸が少なくとも１．８ｍｍの長さを有するように、互いに織り合されている。１本の単位長ＣＭＤヤーンによるＭＤヤーン被覆面積が、ＭＤヤーン直径と単位ＣＭＤ長当たりのＭＤヤーン本数の積として定義される場合に、ボトム側ＭＤヤーン被覆面積に対するトップ側ＭＤヤーン被覆面積の第１の比率は、０．５よりも小さくなっており、ボトム側ＭＤヤーンの断面積に対するボトム側ＣＭＤヤーンの断面積の第２の比率は、２．０よりも大きくなっている。この構造によって、織物は、改良された排水能力をもたらすことができる。排水は、紙側の開表面積の増大に組み合わせて走行側の特別の構造を調整することによって、制御可能である。また、走行側の構造は、曲げ剛性およびマシン側の摩耗性を向上させることができる。 
【００１４】
第２の態様として、本発明の実施形態は、一連の繰返し単位を備える製紙用フォーミング織物に関する。繰返し単位の各々は、一組のトップ側ＭＤヤーンと、一組のトップ側ＣＭＤヤーンであって、トップ側ＭＤヤーンに織り込まれ、トップ側織物層を形成している、一組のトップ側ＣＭＤヤーンと、一組のボトム側ＭＤヤーンと、一組のボトム側ＣＭＤヤーンであって、ボトム側ＭＤヤーンに織り込まれ、ボトム側織物層を形成している、一組のボトム側ＣＭＤヤーンと、トップ側およびボトム側織物層に織り込まれた一組の接結ヤーンと、を備えている。ボトム側ＭＤヤーンおよびボトム側ＣＭＤは、ボトム側ＭＤヤーンの下を通るボトム側ＣＭＤヤーンによって形成された浮糸が約１．８ｍｍから３.０ｍｍの間の長さを有するように、互いに織り合されている。ボトム側ヤーン被覆面積に対するトップ側ＭＤヤーン被覆面積の第１の比率は、約０．３から０．５の間にあり、ボトム側ＭＤヤーンの断面積に対するボトム側ＣＭＤヤーンの断面積の第２の比率は、約２．０から１５．０の間にある。
【図面の簡単な説明】
【００１５】
【図１】織物の走行側（またはマシン側）が示されている、本発明の実施形態による製紙用織物の底面図である。
【図２】典型的なトップ側およびボトム側ＣＭＤヤーンを示す、図１の織物の断面図である。
【図３】図１の織物の紙側を示す、該織物のトップ層を示す概略図であり、トップ側ＣＭＤヤーンまたは接結ヤーンがトップ側ＭＤヤーンの上を通っている箇所が暗色の四角形によって示されている、概略図である。
【図４】代表的な接結ヤーンを示す、図１の織物の断面図である。
【図５】本発明の代替的実施形態による製紙用織物のマシン側の底面図である。
【図６】織物の走行側が示されている、本発明の他の実施形態による製紙用織物の底面図である。
【図７】織物の走行側が示されている、本発明のさらに他の実施形態による製紙用織物の底面図である。
【発明を実施するための形態】
【００１６】
以下、図示されている本発明の実施形態に関連して、本発明をさらに十分に説明する。しかし、本発明は、異なる形態で実施されてもよく、ここに記載される実施形態に制限されると解釈されるべきではない。むしろ、これらの実施形態は、この開示が十分かつ完全であって、本発明の範囲を当業者に十分に知らしめるために、提示されるものである、図面において、同様の番号は、全体を通して同様の要素を指している。一部の構成要素の厚みおよび寸法が、明瞭にするために誇張されることがある。
【００１７】
特に他の規定がない限り、本明細書に用いられる（技術用語および科学用語を含む）用語は、いずれも、本発明が属する技術分野の当業者によって一般的に理解されているのと同じ意味を有している。一般的に用いられている辞書に定義されているような用語は、関連技術の文脈におけるそれらの意味と矛盾しない意味を有していると解釈されるべきであり、本明細書に明示的に規定されない限り、理想化された意味または過度に形式的な意味に解釈されるべきではないことをさらに理解されたい。
【００１８】
本明細書に用いられる専門用語は、特定の実施形態を説明することのみを目的とし、本発明を制限することを意図していない。本明細書に用いられる単数形の「a」、「an」、および「the」は、文脈が明らかに他の意味を指定しない限り、複数形を含むことを意図している。「備える（comprises）」および／または「備えている（comprising）」という用語は、本明細書に用いられるとき、記述された特徴、完全体、段階、操作、要素、および／または構成部品の存在を特定することになるが、１つまたは複数の他の特徴、完全体、段階、操作、要素、構成部品、および／またはそれらの群の存在または追加を排除するものではないことをさらに理解されたい。本明細書に用いられる「および／または」という表現は、１つまたは複数の互いに関連して列挙される事項のいずれかおよび全ての組合せを含んでいる。
【００１９】
加えて、「〜の下に」、「〜の下方に」、「〜の下側に」、「〜の上方に」、「〜の上側に」などの空間的な相対的用語は、図面に示されている１つの要素または特徴部と１つまたは複数の他の要素または特徴部との関係を説明するための記述を容易にするために、本明細書において用いられることがある。これらの空間的な相対的用語は、図面に描かれている方位に加えて、使用時または操作時における装置の異なる方位を含むことを意図していることを理解されたい。装置は、別の方位（９０°または他の方位）に回転されることもあるが、この場合、本明細書に用いられる空間的な相対的記述用語も、それに応じて解釈されるとよい。
【００２０】
よく知られている機能または構造は、簡潔および／または明瞭にするために、詳細に説明されないこともある。
【００２１】
本明細書に用いられる「マシン方向（ＭＤ）」および「マシン横断方向（ＣＭＤ）」という用語は、それぞれ、製紙機上の製紙機用織物の走行方向と一致する方向、および織物表面と平行でかつ走行方向を横断する方向を指している。また、前述した平織法およびエンドレス製織法は、いずれも、この技術分野においてよく知られており、本明細書に用いられる「エンドレスベルト」という用語は、いずれの方法によって作製されたベルトも指すものとする。
【００２２】
以下、図面について説明すると、１００で総称的に示される製紙用織物が、図１−４に示されている。図１は、織物１００の走行側（ＲＳ）（すなわち、本明細書において織物１００の「ボトム」側とも呼ばれる製紙機に面する側）を示しており、図３は、織物１００の紙側（ＰＳ）または「トップ」側を示している。
【００２３】
図１を参照すると、織物１００の走行側は、１２本のボトム側ＭＤヤーン９−２０および１２本のボトム側ＣＭＤヤーン２１−３２を備えており、これらのヤーンがボトム層１０１を形成している。ボトム側ＣＭＤヤーン２１−３２は、「上（over）２／下（under）１０」の順序でボトム側ＭＤヤーン９−２０に織り込まれている。（なお、参考のために述べると、本明細書に用いられる「上（over）」および「下（under）」という用語は、図２，４に示されているように、織物１０の紙側が「上方（up）」にあり、走行側が「下方（down）」にある場合に基づいており、図１の底面図では、他のヤーンの「上（over）」を通っているように見えるヤーンは、実際には、「上方（up）」にある紙側のこれらのヤーンの「下（under）」を通っていることを理解されたい）。「上２／下１０」の順序では、１０本のヤーンに跨る「浮糸（float）」が、１０本のボトム側ＭＤヤーン１１−２０の下を通る各ボトム側ＣＭＤヤーン２１−３２によって形成されることになる。例えば、ボトム側ＣＭＤヤーン３２は、ボトム側ＭＤヤーン９，１０の上およびボトム側ＭＤヤーン１１−２０の下を通っており、これによって、ボトム側ＭＤヤーン１１−２０の下を通る前述の１０本のヤーンに跨る浮糸を形成している（図２参照）。
【００２４】
各ボトム側ＣＭＤヤーンは、その最隣接ボトム側ＣＭＤヤーンから５本のボトム側ＭＤヤーンだけ位置ずれしている。例えば、ボトム側ＣＭＤヤーン３２は、ボトム側ＭＤヤーン９，１０の上を通っており、その一方、その最隣接ボトム側ＣＭＤヤーン２１は、ボトム側ＭＤヤーン１４，１５の上を通っており、ボトム側ＭＤヤーン１４，１５は、それぞれ、ボトム側ＭＤヤーン９，１０から５本のボトム側ＭＤヤーンだけ位置ずれている。残りのボトム側ＭＤヤーンも、同様の位置ずれパターンに従っている（図１参照）。
【００２５】
図３は、織物１００のトップ層１０２を示している。トップ層１０２は、８本のトップ側ＭＤヤーン１−８、１２本のトップ側ＣＭＤヤーン５１−６２、および１２本の接結ヤーン対７１ａ，７１ｂ−８２ａ，８２ｂを備えている。接結ヤーン対は、互いに隣接するトップ側ＣＭＤヤーン間に配置されている。トップ側ＭＤヤーン１−８、トップ側ＣＭＤヤーン５１−６２、および接結ヤーン対７１ａ，７１ｂ−８２ａ，８２ｂは、互いに織り込まれ、トップ層１０２上に平織面を形成している。
【００２６】
図２，３から分かるように、代表的なトップ側ＣＭＤヤーン、例えば、トップ側ＣＭＤヤーン６２は、「上１／下１」の順序に従って、トップ側ＭＤヤーン１−８に織り込まれている。図４では接結ヤーン対８２ａ，８２ｂによって例示されているが、各接結ヤーンは、（２本のＭＤヤーンの上およびそれらの間の１本のトップ側ＭＤヤーンの下を通って）３本のトップ側ＭＤヤーンに織り込まれており、１本のボトム側ＭＤヤーンの下を通っている。例えば、接結ヤーン８２ａは、トップ側ＭＤヤーン２，４の上およびトップ側ＭＤヤーン３の下を通って、ボトム側ＭＤヤーン１７の下を通っており、その一方、接結ヤーン８２ｂは、トップ側ＭＤヤーン６，８の上およびボトム側ＭＤヤーン１１の下を通っている。従って、接結ヤーン８２ａ，８２ｂ（および他の各対）は、協働して、「上１／下１」の順序で織り合される１本のトップ側ＣＭＤヤーンと等価のヤーンを形成しており、この等価のヤーンに、トップ側ＣＭＤヤーンが続いている。その結果、トップ側ＭＤヤーン１−８、トップ側ＣＭＤヤーン６１−７２、およびトップ側ＭＤヤーンに織り込まれる接結ヤーン８１ａ，８１ｂ−９２ａ，９２ｂの部分は、協働して、トップ層１０２に平織面を形成することになる。このようなトップ面構造は、よく知られているので、（例えば、Wardに付与された米国特許第５，９６７，１９５号明細書に例示されているので）、ここでは詳細に説明しないことにする。なお、この文献の開示内容は、ここに含まれるものとする。
【００２７】
織物１００の走行側１０１の例示的な形態が、以下の表１に示されている。
【００２８】
【表１】
0005801414.tif 000002
【００２９】
特に、（ａ）ＲＳＣＭＤヤーン断面積／ＲＳＭＤヤーン断面積の比率＞２、（ｂ）ＲＳＣＭＤ浮糸＞１．８ｍｍ、および（ｃ）ＰＳＭＤヤーン被覆面積／ＲＳＭＤヤーン被覆面積の比率＜０．５の組合せを有する織物は、有利である。この構成は、改変された排水通路、例えば、Baumannに付与された米国特許出願公開第２０１１／０１００５７７号明細書に記載されているような改変された排水通路をもたらすことができる。また、この構成は、比較的長いＲＳ浮糸をもたらすことができ、これによって、織物の耐摩耗体積（ＲＳ浮糸体積）を高めることができる。耐摩耗体積は、ボトム側ＭＤヤーンによって形成された二重ＲＳナックルによっても高められることになる。何故なら、これによって、大径のボトム側ＣＭＤヤーンに十分なクリンプを生じさせることができるからである。また、比較的密なボトム側構造によって高真空要素への再湿潤が少なくなる。 
【００３０】
前述の条件（ａ）−（ｃ）に関して、ＲＳＭＣＤヤーン断面積／ＲＳＭＤヤーン断面積の比率（すなわち、前述の条件（ａ））は、いくつかの実施形態では、約２．０から１５．０の間にあり、他の実施形態では、約２．０から約１０．０の間にある。ＲＳＣＭＤ浮糸長さ（すなわち、前述の条件（ｂ））は、いくつかの実施形態では、約１．８ｍｍから３．５ｍｍの間にあり、他の実施形態では、約１．８ｍｍから３．０ｍｍの間にある。ＰＳＭＤヤーン被覆面積／ＲＳＭＤヤーン被覆面積の比率（前述の条件（ｃ））は、いくつかの実施形態では、約０．３から０．５の間にあり、他の実施形態では、約０．４から０．５の間にある。
【００３１】
図５は、織物１００の代替的な走行側パターンを示している。（１０１’によって示されている）この実施形態では、ボトム側ＣＭＤヤーン２１’−３２’は、ボトム側ＭＤヤーン９’−２０’に織り込まれ、（織物１００の場合と同じように）１０本のヤーンに跨るＣＭＤヤーン浮糸を形成しているが、各ボトム側ＣＭＤヤーンは、一方の隣接ＣＭＤヤーンから７本のＭＤヤーンだけ位置ずれしており、他方の隣接ＣＭＤヤーンから３本のボトム側ＭＤヤーンだけ位置ずれしている。例えば、ボトム側ＣＭＤヤーン２２’は、ボトム側ＭＤヤーン１７’，１８’の上を通っている。隣接するボトム側ＣＭＤヤーン２１’は、ボトム側ＭＤヤーン１０’，１１’の上を通っており、その結果、ボトム側ＣＭＤヤーン２２’から７本のボトム側ＭＤヤーンだけ位置ずれしている。隣接するボトム側ＣＭＤヤーン２３’は、ボトム側ＭＤヤーン２０’，９’の上を通っており、その結果、ボトム側ＣＭＤヤーン２２’から３本のボトム側ＭＤヤーンだけ位置ずれしている。このパターンは、走行側１０１’の全体にわたって、繰り返されることになる。
【００３２】
図６は、ボトム側ＣＭＤヤーン１２１−１３２がボトム側ＭＤヤーン１０９−１２０に対して「上１／下１／上１／下９」の順序に従うことを除けば、織物１００と同様の織物２００の走行側２０１の代替的実施形態を示している。残りのヤーン（すなわち、トップ側ＭＤヤーン、トップ側ＣＭＤヤーン、および接結ヤーン）は、織物１００と同じ織パターンに従うとよい。織物１００によってもたらされる耐摩耗体積に関する利点は、織物２００によっても得られることになる。何故なら、１つのボトム側ＣＭＤによって互いに分離した２つのボトム側ＭＤナックルの構成は、比較的長いボトム側ＣＭＤ浮糸（２．７６ｍｍ）と大径のボトム側ＣＭＤヤーンに対する十分なクリンプの両方をもたらすことができるからである。
【００３３】
図７は、本発明の実施形態による３００で総称的に示される他の織物の走行側３０１を示している。走行側３０１は、１２本のボトム側ＭＤヤーン３０９−３２０および１２本のボトム側ＣＭＤヤーン３２１−３３２を備えている。ボトム側ＣＭＤヤーン３２１−３３２は、「上１／下１」のパターンでボトム側ＭＤヤーン３０９−３２０に織り込まれ、これによって、ボトム側ＣＭＤヤーン３２１−３３２は、１１本のヤーンに跨る走行側浮糸を形成している。図７から分かるように（および図５の織物の場合と同じように）、各ボトム側ＣＭＤヤーンは、一方の隣接ＣＭＤヤーンから７本のボトム側ＭＤヤーンだけ位置ずれしており、他方の隣接ＣＭＤヤーンから３本のボトム側ＭＤヤーンだけ位置ずれしている。例えば、ボトム側ＣＭＤヤーン３２２は、ボトム側ＭＤヤーン３１８の上を通っている。隣接するボトム側ＣＭＤヤーン３２１は、ボトム側ＭＤヤーン３１１の上を通っており、その結果、ボトム側ＣＭＤヤーン３２２から７本のボトム側ＭＤヤーンだけ位置ずれしている。隣接するボトム側ＣＭＤヤーン３２３は、ボトム側ＭＤヤーン３０９の上を通っており、その結果、ボトム側ＣＭＤヤーン３２２から３本のボトム側ＭＤヤーンだけ位置ずれしている。このパターンは、走行側３０１の全体にわたって、繰り返されることになる。
【００３４】
表２は、前述した条件（ａ）−（ｃ）を実現することができるヤーン直径の種々の組合せを示している。表２に記載の特性の組は、織物１００，２００，３００のいずれにも適用可能である。
【００３５】
【表２】
0005801414.tif 000003
【００３６】
試験結果は、標準的な三層フォーミング織物と比較して、排水を約２５％向上させ、乾燥度を約１−２％（絶対値）向上させる排水挙動への効果があること、開表面積を３−４％（絶対値）まで向上させる効果があること、および曲げ剛性を約１０％向上させ、摩耗ポテンシャルを約２０％向上させる効果があることを示している。
【００３７】
当業者であれば、他の織りパターンが用いられてもよいことを理解するだろう。例えば、織物１００，２００，３００では、ボトム側ＣＭＤヤーンに対する有効トップ側ＣＭＤヤーン（すなわち、ボトムＣＭＤヤーンおよびトップ側ＣＭＤヤーンの数）の比率は、２：１である。この比率は、変更可能である。例えば、１：１、３：２、５：２または３：１の比率を有する織物が用いられてもよい。さらに、１：１の接結ヤーン対に対するトップ側ＣＭＤヤーンの比率が示されているが、この比率が変更されてもよい。例えば、２：１または３：１が用いられてもよい。
【００３８】
以上は、本発明の例示であり、本発明を制限すると解釈されるべきではない。本発明の例示的な実施形態が記載されているが、当業者であれば、本発明の新規の示唆および利点から実質的に逸脱することなく、例示的な実施形態に対して多くの修正が可能であることを容易に理解するだろう。従って、このような修正の全てが請求項に記載されている範囲内に含まれることが意図されている。
【図１】
0005801414.tif 000004
【図２】
0005801414.tif 000005
【図３】
0005801414.tif 000006
【図４】
0005801414.tif 000007
【図５】
0005801414.tif 000008
【図６】
0005801414.tif 000009
【図７】
0005801414.tif 000010